(57)【要約】【課題】ネットワークに接続された表示装置に遠隔操作で映像を表示する際、不適切な場所にいるユーザによる映像の表示を制限できる。【解決手段】表示装置１００の制御部１１１は、予め登録されたネットワークの経路を示す経路情報を記憶部１１３に記憶し、無線端末装置５０から送信されたネットワークの経路を示す経路情報を受信し、受信した経路情報と記憶された経路情報とを比較し、二つの経路情報がほぼ同一経路を示すか否かを判定する判定し、二つの経路情報がほぼ同一経路を示すと判定された場合、表示情報をスクリーン部１２０に表示させる。【選択図】図２
2015185868.tif 000002
【特許請求の範囲】
【請求項１】
予め登録されたネットワークの経路を示す経路情報を記憶する記憶手段と、
端末装置から送信されたネットワークの経路を示す経路情報を受信する受信手段と、
前記受信手段により受信した経路情報と、前記記憶手段に記憶された経路情報とを比較し、二つの経路情報がほぼ同一経路を示すか否かを判定する判定手段と、
前記判定手段により前記二つの経路情報がほぼ同一経路を示すと判定された場合、表示情報を表示手段に表示させる制御手段と、
を備える表示装置。
【請求項２】
前記判定手段は、前記受信手段により受信した経路情報と、前記記憶手段に記憶された経路情報とを比較し、二つの経路情報が一致するかあるいは経路情報が近似する場合は、二つの経路情報がほぼ同一経路を示すと判定する請求項１に記載の表示装置。
【請求項３】
前記記憶手段は、所定の端末装置から送信されたネットワークの経路を示す経路情報を前記経路情報として記憶する請求項１又は２に記載の表示装置。
【請求項４】
前記制御手段は、前記判定手段により前記二つの経路情報がほぼ同一経路を示すと判定された場合、前記受信手段により受信した前記経路情報を送信した端末装置から送信される表示情報を受信し、受信した表示情報を前記表示手段に表示させる請求項１〜３の何れか一項に記載の表示装置。
【請求項５】
ネットワークを介して接続される端末装置と表示装置とを備えた表示システムであって、
前記端末装置は、
前記表示装置にネットワークの経路を示す経路情報を送信可能であって、
前記表示装置は、
予め登録されたネットワークの経路を示す経路情報を記憶する記憶手段と、
前記端末装置から送信されたネットワークの経路を示す経路情報を受信する受信手段と、
前記受信手段により受信した経路情報と、前記記憶手段に記憶された経路情報とを比較し、二つの経路情報がほぼ同一経路を示すか否かを判定する判定手段と、
前記判定手段により前記二つの経路情報がほぼ同一経路を示すと判定された場合、表示情報を表示手段に表示させる制御手段と、
を備える表示システム。
【請求項６】
表示装置のコンピュータを、
端末装置から送信されたネットワークの経路を示す経路情報を受信する受信手段、
前記受信手段により受信した経路情報と、予め登録されたネットワークの経路を示す経路情報を記憶する記憶手段に記憶された経路情報とを比較し、二つの経路情報がほぼ同一経路を示すか否かを判定する判定手段、
前記判定手段により前記二つの経路情報がほぼ同一経路を示すと判定された場合、表示情報を表示手段に表示させる制御手段、
として機能させるためのプログラム。
【発明の詳細な説明】
【技術分野】
【０００１】
本発明は、表示装置、表示システム及びプログラムに関する。
【背景技術】
【０００２】
従来、ネットワークに接続された表示装置に、情報処理装置からネットワーク経由で映像信号を送信し、離れた場所で映像を表示する仕組みが知られている（例えば、特許文献１参照）。
【先行技術文献】
【特許文献】
【０００３】
【特許文献１】特開２００２−０４９５５６号公報
【発明の概要】
【発明が解決しようとする課題】
【０００４】
しかしながら、ネットワークに接続された表示装置に遠隔操作で映像を表示する仕組みにおいては、複数のユーザ間で利用できる便利さがある反面、一方で利用できるユーザを制限したいというニーズがある。この場合、例えば、ＩＤ（identification）やパスワード等の認証情報による制限が考えられるが、これだと、認証情報を取得していればユーザの居場所に関係なく当該表示装置を利用できることとなって、不適切な場所にいるユーザの使用を排除できないという問題があった。
【０００５】
本発明の課題は、ネットワークに接続された表示装置に遠隔操作で映像を表示する際、不適切な場所にいるユーザによる映像の表示を制限できるようにすることである。
【課題を解決するための手段】
【０００６】
上記課題を解決するため、本発明に係る表示装置は、予め登録されたネットワークの経路を示す経路情報を記憶する記憶手段と、端末装置から送信されたネットワークの経路を示す経路情報を受信する受信手段と、前記受信手段により受信した経路情報と、前記記憶手段に記憶された経路情報とを比較し、二つの経路情報がほぼ同一経路を示すか否かを判定する判定手段と、前記判定手段により前記二つの経路情報がほぼ同一経路を示すと判定された場合、表示情報を表示手段に表示させる制御手段と、を備える。
【０００７】
また、本発明に係る表示システムは、ネットワークを介して接続される端末装置と表示装置とを備えた表示システムであって、前記端末装置は、前記表示装置にネットワークの経路を示す経路情報を送信可能であって、前記表示装置は、予め登録されたネットワークの経路を示す経路情報を記憶する記憶手段と、前記端末装置から送信されたネットワークの経路を示す経路情報を受信する受信手段と、前記受信手段により受信した経路情報と、前記記憶手段に記憶された経路情報とを比較し、二つの経路情報がほぼ同一経路を示すか否かを判定する判定手段と、前記判定手段により前記二つの経路情報がほぼ同一経路を示すと判定された場合、表示情報を表示手段に表示させる制御手段と、を備える。
【０００８】
また、本発明に係るプログラムは、表示装置のコンピュータを、端末装置から送信されたネットワークの経路を示す経路情報を受信する受信手段、前記受信手段により受信した経路情報と、予め登録されたネットワークの経路を示す経路情報を記憶する記憶手段に記憶された経路情報とを比較し、二つの経路情報がほぼ同一経路を示すか否かを判定する判定手段、前記判定手段により前記二つの経路情報がほぼ同一経路を示すと判定された場合、表示情報を表示手段に表示させる制御手段、として機能させるためのプログラムである。
【発明の効果】
【０００９】
本発明によれば、ネットワークに接続された表示装置に遠隔操作で映像を表示する際、不適切な場所にいるユーザによる映像の表示を制限できる。
【図面の簡単な説明】
【００１０】
【図１】本発明の表示システムを含むネットワークの構成を示す図である。
【図２】本発明の表示システムを構成する表示装置、有線端末装置、及び無線端末装置の主制御構成を示すブロック図である。
【図３】経路情報登録処理の流れについて説明するためのフローチャートである。
【図４】接続許可判断処理の流れについて説明するためのフローチャートである。
【発明を実施するための形態】
【００１１】
以下、添付図面を参照して本発明に係る実施の形態を詳細に説明する。ただし、以下に述べる実施の形態には、本発明を実施するために技術的に好ましい種々の限定が付されているが、発明の範囲を以下の実施の形態及び図示例に限定するものではない。
【００１２】
［構成］
図１は、本発明の実施の形態の表示システムを含むネットワークの構成を示す図である。
図１に示すように、ゲートウェイ装置１、ゲートウェイ装置２、及びゲートウェイ装置３が、ネットワークＮを介して接続されている。
なお、ゲートウェイ装置１のＩＰアドレスは、「ａ１．ａ２．ａ３．ａ４」である。
また、ゲートウェイ装置２のＩＰアドレスは、「ａ１．ａ２．ｂ３．ｂ４」である。
また、ゲートウェイ装置３のＩＰアドレスは、「ａ１．ａ２．ｃ３．ｃ４」である。
【００１３】
ゲートウェイ装置１には、無線ＬＡＮ（Local Area Network）アクセスポイント装置１０（以下、単に「アクセスポイント１０」と称する。）と、映像表示が可能な表示装置１００と、が接続されている。
【００１４】
ゲートウェイ装置２には、無線ＬＡＮアクセスポイント装置２０（以下、単に「アクセスポイント２０」と称する。）が接続されている。
また、アクセスポイント２０と同一エリアに、一乃至複数の有線端末装置４０（ここでは、有線端末装置４０ａ）と、一乃至複数の無線端末装置５０（ここでは、無線端末装置５０ａ）が存在している。
【００１５】
ゲートウェイ装置３には、無線ＬＡＮアクセスポイント装置３０（以下、単に「アクセスポイント３０」と称する。）が接続されている。
また、アクセスポイント３０と同一エリアに、一乃至複数の有線端末装置４０（ここでは、有線端末装置４０ｂ）と、一乃至複数の無線端末装置５０（ここでは、無線端末装置５０ｂ）が存在している。
【００１６】
ネットワークＮは、ゲートウェイ装置１とゲートウェイ装置２とゲートウェイ装置３とを接続するネットワークであり、例えばＩＥＥＥ８０２．１１規格で定められるＬＡＮである。
【００１７】
本発明の実施の形態の表示システム１０００は、表示装置１００、有線端末装置４０、及び無線端末装置５０を備えて構成されている。
図２は、表示システム１０００を構成する表示装置１００、有線端末装置４０、及び無線端末装置５０の主制御構成を示すブロック図である。
本実施の形態においては、表示装置１００としてデジタルサイネージ装置を例示して説明する。なお、表示装置１００としては、これ以外にも、例えば、映像をスクリーンや壁などに投影することにより表示するプロジェクタ、液晶ディスプレイやプラズマディスプレイ等の平面ディスプレイ等であっても良い。
また、有線端末装置４０は、例えば、ＰＣ（personal computer）等の情報処理装置である。なお、本実施の形態における有線端末装置４０ａ、４０ｂの基本的な構成は、全て同一である。
また、無線端末装置５０は、例えば、携帯電話、スマートフォン、タブレット式端末などの携帯機器である。なお、本実施の形態における無線端末装置５０ａ、５０ｂの基本的な構成は、全て同一である。
各装置は、例えばｈｔｔｐ（Hypertext Transfer Protocol）プロトコル或いはｈｔｔｐｓ(Hypertext Transfer Protocol Secure)プロトコルによる通信環境の元にデータ通信が行われる。なお、ｈｔｔｐプロトコルの通信をＳＳＬやＴＬＳで暗号化したｈｔｔｐｓプロトコルのほうが、通信方式としてはより好ましい。
【００１８】
先ず、表示装置１００の構成について説明する。
表示装置１００は、画像の映像光を照射する投影部１１０と、投影部１１０から照射された映像光を背面で受けて前面に投影するスクリーン部１２０とを備えている。
【００１９】
投影部１１０は、画像や音声からなるコンテンツデータに基づいて各部を制御する制御部１１１と、制御部１１１に接続され、当該制御部１１１から出力された映像データを映像光に変換してスクリーン部１２０に向けて照射するプロジェクタ１１２と、各種プログラムや各コンテンツデータを記憶する記憶部１１３と、ゲートウェイ装置１〜３と通信する通信部１１４と、ユーザによる操作を受け付ける操作部１１５と、を備えている。
【００２０】
スクリーン部１２０は、映像光の照射方向に対して略直交する透光板等により形成される映像表示部１２１と、スピーカ等の音声出力部１２２とを備えている。音声出力部１２２は、音声信号を伝送するために制御部１１１とケーブル等で接続されている。
【００２１】
制御部１１１は、各種のプログラムを実行して所定の演算や各部の制御を行うＣＰＵ（Central Processing Unit）とプログラム実行時の作業領域となるメモリとを備えている（いずれも図示省略）。
制御部１１１は、所定の有線端末装置４０から送信された経路情報を登録する登録作業をユーザが行った際に、当該経路情報を記憶部１１３に記憶させる。かかる構成により、制御部１１１は、記憶部１１３と共に、記憶手段として機能している。
また、制御部１１１は、無線端末装置５０から送信される表示情報（映像信号）を受信するか否かを判断する接続許可判断処理を実行し、無線端末装置５０から表示情報の送信に先立って送信される経路情報を受信した際に、その受信した経路情報と、記憶部１１３に記憶された経路情報とを比較し、二つの経路情報がほぼ同一経路を示すか否かを判定する。
そして、制御部１１１は、二つの経路情報がほぼ同一経路を示すと判定した場合、表示情報を受信し、スクリーン部１２０に映像や音声を出力させる。かかる構成により、制御部１１１は、受信手段、判定手段、制御手段として機能している。
【００２２】
記憶部１１３は、経路情報記憶部１１３Ａ、設定画面記憶部１１３Ｂ等を備えている。
経路情報記憶部１１３Ａは、ユーザが経路情報の登録作業を行った際に、表示装置１００が取得した経路情報を登録して記憶する。
設定画面記憶部１１３Ｂは、経路情報の登録に際して、有線端末装置４０に送信する設定画面を記憶する。
なお、記憶部１１３には、設定画面をＷＥＢ（World Wide Web）画面上で動作させるＷＥＢサーバープログラム等も記憶されている。
【００２３】
操作部１１５は、例えば、制御部１１１に赤外線等で通信可能なリモコン、投影部１１０の本体に設けられた操作キー等である。
【００２４】
次に、有線端末装置４０の構成について説明する。
有線端末装置４０は、例えば、表示部４１、操作部４２、通信部４３、記憶部４４、及びこれらを制御する制御部４５等を備えている。
【００２５】
表示部４１は、例えば、液晶パネルや有機ＥＬパネル等から構成されている。
操作部４２は、例えば、キーボード、マウス等である。
通信部４３は、ゲートウェイ装置２と通信を行うものである。
記憶部４４は、例えば、ＨＤＤ（Hard disk drive）等の記録媒体によって構成され、有線端末装置４０を動作させるためのシステムプログラムや各種制御プログラム及び各種データが記憶されている。
【００２６】
制御部４５は、経路情報を表示装置１００に登録する登録作業をユーザが行う際に、ユーザ操作に応じて近くのゲートウェイ装置（ゲートウェイ装置２やゲートウェイ装置３）との接続を行い、表示装置１００に対して表示装置１００の記憶部１１３に記憶された設定画面の送信要求を実行する。
【００２７】
次に、無線端末装置５０の構成について説明する。
無線端末装置５０は、例えば、表示部５１、操作部５２、通信部５３、ＧＰＳ（Global Positioning System）部５４、記憶部５５、及びこれらを制御する制御部５７等を備えている。
【００２８】
表示部５１は、例えば、液晶パネルや有機ＥＬ（Electro Luminescence）パネル等から構成されている。
【００２９】
操作部５２は、例えば、タッチパネルや、操作キー等である。
【００３０】
通信部５３は、例えば、Ｗｉ−Ｆｉ（Wireless Fidelity）、３Ｇ（3rd Generation）、ＬＴＥ（Long Term Evolution）などの規格によりアクセスポイント２０やアクセスポイント３０と通信を行う。
【００３１】
ＧＰＳ部５４は、ＧＰＳ衛星からの電波信号を受信し、当該信号に基づいて位置、移動方向、速度を計算することによって、無線端末装置５０の位置を測位する。
【００３２】
記憶部５５には、表示装置１００との通信を行うためのアプリケーションが記憶されている。表示装置１００との通信を行うためのアプリケーションとしては、映像送信アプリ等が挙げられる。
【００３３】
また、制御部５７は、映像送信アプリを起動し、表示装置１００に対して表示情報の送信を実行する。
【００３４】
［経路情報の登録処理］
図３は、表示装置１００に有線端末装置４０の経路情報を登録する際の登録処理の流れについて説明するためのフローチャートである。
ここでは、有線端末装置４０ａを用いて経路情報の登録を行うこととする。
また、本登録作業は、本ネットワークを運用する管理者によって行われるものである。
【００３５】
先ず、表示装置１００の制御部１１１は、ネットワーク管理者（以下、ユーザという）操作に応じて当該表示装置１００をゲートウェイ装置１と接続する（Ｓ１０１）。
次いで、有線端末装置４０ａの制御部４５は、ユーザ操作に応じて当該有線端末装置４０ａをゲートウェイ装置２と接続する（Ｓ１０２）。
【００３６】
次いで、有線端末装置４０ａの制御部４５は、ユーザが、所定のＵＲＬ（Uniform Resource Locator）に接続することにより表示装置１００に経路情報を登録するための設定画面を表示する操作を実行すると、この設定画面の表示指示を検出し（Ｓ１０３）、表示装置１００に設定画面送信要求を送信する（Ｔ１０４）。設定画面送信要求には、例えばＩＰパケットデータ等が含まれる。
ここで、有線端末装置４０ａが表示装置１００の設定画面に接続するためには、ネットワーク管理者のアカウントとパスワードが必要である。
【００３７】
次いで、表示装置１００の制御部１１１は、有線端末装置４０ａから設定画面送信要求を受信すると、設定画面記憶部１１３Ｂに記憶された設定画面を読み出し、有線端末装置４０ａに設定画面を送信する（Ｔ１０５）。
【００３８】
次いで、有線端末装置４０ａの制御部４５は、表示装置１００から設定画面を受信すると、表示部４１に設定画面を表示する（Ｓ１０６）。設定画面には所定のボタン等が表示され、ユーザが所定の操作を実行する。
また、表示装置１００の制御部１１１は、上記Ｔ１０４の接続により、ＩＰパケットデータに記述されている、有線端末装置４０ａからゲートウェイ装置２、ゲートウェイ装置１までの経路情報（「ａ１．ａ２．ｂ３．ｂ４」，「ａ１．ａ２．ａ３．ａ４」）を読み取って取得し（Ｓ１０７）、取得した経路情報を経路情報記憶部１１３Ａに記憶する（Ｓ１０８）。
【００３９】
このようにして、有線端末装置４０ａからゲートウェイ装置２、ゲートウェイ装置１までのネットワークＮの経路情報が、表示装置１００に登録される。
なお、上記登録作業に必要な設定画面へのアクセスはネットワーク管理者のみの権限であって一般の利用者での変更はできない構成である。
【００４０】
［接続許可判断処理］
図４は、表示装置１００に映像を表示する際、無線端末装置５０の接続を許可するか否かを判断する接続許可判断処理の流れについて説明するためのフローチャートである。
【００４１】
なお、本映像表示作業は、表示装置１００を利用する一般の利用者によって行われるものである。
また、この映像表示作業の前提として、上述した経路情報の登録作業がネットワーク管理者により実行され、表示装置１００には、当該経路情報（「ａ１．ａ２．ｂ３．ｂ４」，「ａ１．ａ２．ａ３．ａ４」）が予め登録されていることとする。
【００４２】
先ず、無線端末装置５０の制御部５６は、ユーザ操作に応じて当該無線端末装置５０をアクセスポイント（アクセスポイント２０やアクセスポイント３０）と接続する（Ｓ２０１）。
【００４３】
次いで、無線端末装置５０の制御部５６は、ユーザ操作に応じて映像送信アプリを起動し（Ｓ２０２）、表示装置１００にアカウント名とパスワードを含むＩＰパケットデータを送信する（Ｔ２０３）。
【００４４】
次いで、表示装置１００の制御部１１１は、無線端末装置５０からアカウント名とパスワードを受信すると、アカウント名、パスワードによる接続確認を行う（Ｓ２０４）。なお、ここでアカウント名やパスワードが不正な場合には、無線端末装置５０にエラー情報を送信する。
【００４５】
次いで、表示装置１００の制御部１１１は、受信したＩＰパケットデータからネットワークの経路を示す経路情報を参照し、その経路情報と、経路情報記憶部１１３Ａに登録されている経路情報とを比較し、二つの経路情報が一致するかあるいは近似するか否かにより、二つの経路情報がほぼ同一経路を示すか否かを判定する（Ｓ２０５）。
具体的には、受信した経路情報が、無線端末装置５０ａから送信されたもの（「ａ１．ａ２．ｂ３．ｂ４」，「ａ１．ａ２．ａ３．ａ４」）である場合、有線端末装置４０ａからデータ送信するのと同一の経路を示すため、二つの経路情報が一致し、ほぼ同一経路を示すとの判定がなされることとなる。
また、二つの経路情報として、異なる無線ＬＡＮアクセスポイントが異なる場合でも、同一のゲートウェイ装置を経由した場合は、経路情報が近似するため、ほぼ同一の経路を示すと判定してもよい。
一方、受信した経路情報が、無線端末装置５０ｂから送信されたもの（「ａ１．ａ２．ｃ３．ｃ４」，「ａ１．ａ２．ａ３．ａ４」）である場合、有線端末装置４０ａからデータ送信するのと異なる経路を示すため、二つの経路情報が一致せず、ほぼ同一経路を示さないとの判定がなされることとなる。
【００４６】
次いで、表示装置１００の制御部１１１は、二つの経路情報がほぼ同一経路を示すと判定すると、無線端末装置５０に受信許可を送信し、二つの経路情報がほぼ同一経路を示さないと判定すると、無線端末装置５０に受信不許可を送信する（Ｔ２０６）。
【００４７】
次いで、無線端末装置５０の制御部５６は、表示装置１００から受信許可を受信すると、映像送信を開始し、表示装置１００から受信不許可を受信すると、映像送信を中止する（Ｓ２０７）。
【００４８】
この後、無線端末装置５０の制御部５６は、映像送信を開始した場合には、表示装置１００に映像信号を送信し、これに応じて表示装置１００の制御部１１１は、映像表示部１２１及び音声出力部１２２により、映像及び音声を出力する。
一方、無線端末装置５０の制御部５６は、映像送信を中止した場合には、表示部５１にエラーメッセージを表示する。
【００４９】
上記処理では、無線端末装置５０ａ、経路情報の登録に用いた有線端末装置４０ａ、又は同一エリア内の他の有線端末装置による接続により、ゲートウェイ装置２とゲートウェイ装置１を経由して表示装置１００に接続する情報から、予め経路情報の登録をした有線端末装置４０ａからの経路とほぼ同一と判定され、映像受信許可の判定を得ることとなる。
【００５０】
一方、無線端末装置５０ｂによる接続では、予め経路情報の登録をした有線端末装置４０ａからの経路とほぼ同一と判定されないため、映像受信不許可の判定を得ることとなる。
そして、無線端末装置５０ｂで受信許可を得るには、利用しようとするアクセスポイント（ここではアクセスポイント３０）の周囲の端末装置（ここでは有線端末装置４０ｂや無線端末装置５０ｂ）で、ゲートウェイ装置３からゲートウェイ装置１に繋がった表示装置１００に通信するときのＩＰパケットデータから読み取った経路情報の登録作業を予めする必要がある。
このとき、経路情報の登録作業に必要な設定画面へのアクセスはネットワーク管理者のみの権限であって一般の利用者での変更はできない構成であるため、ネットワーク管理者の責任のもとに他のエリアからの映像送信のアクセスを制限することができる。
【００５１】
以上のように、本実施の形態によれば、表示装置１００の制御部１１１は、予め登録されたネットワークの経路を示す経路情報を記憶部１１３に記憶し、無線端末装置５０から送信されたネットワークの経路を示す経路情報を受信し、受信した経路情報と、記憶部１１３に記憶された経路情報とを比較し、二つの経路情報がほぼ同一経路を示すか否かを判定し、二つの経路情報がほぼ同一経路を示すと判定された場合、表示情報をスクリーン部１２０に表示させる。
このため、ネットワークＮに接続された表示装置１００に映像出力しようとする無線端末装置５０の経路情報を、映像送信アプリによる接続開始時に、予め登録してある経路情報と比較することにより、無線端末装置５０がほぼ同一経路であり該当エリア内か否かの判定をすることができる。
よって、表示装置１００と映像送受信に成功したことのある無線端末装置５０でも、接続時の所在地が不適当な場合は接続不可となる。
また、階や建物の異なる別のフロアでも、事前に経路情報を有線端末装置４０を用いてネットワーク管理者が登録しておけば接続可能である。
これにより、ネットワークＮに接続された表示装置１００に遠隔操作で映像を表示する際、誤った映像が表示されるのを防止することができる。
また、データを保存して再送信するような仕組みはないため、映像の更新情報を、無線端末装置５０側から離れた場所にある表示装置１００へ円滑にリアルタイム性を損なうことなく送信することができる。
【００５２】
また、本実施の形態によれば、表示装置１００の制御部１１１は、受信した経路情報と、記憶部１１３に記憶された経路情報とを比較し、二つの経路情報が一致するかあるいは経路情報が近似する場合は、当該二つの経路情報がほぼ同一経路を示すと判定する。
このため、二つの経路情報が一致するかあるいは経路情報が近似する場合に、表示情報をスクリーン部１２０に表示させることができる。
即ち、経路情報の登録に用いた端末装置（有線端末装置４０ａ）が接続されたゲートウェイ装置２に接続される端末装置（無線端末装置５０ａ）からのみ表示情報をスクリーン部１２０に表示させることができる。
【００５３】
また、本実施の形態によれば、表示装置１００の制御部１１１は、所定の端末装置（有線端末装置４０）から送信されたネットワークの経路を示す経路情報を記憶部１１３に記憶する。
このため、所定の端末装置（有線端末装置４０）を用いて、経路情報を記憶することができる。
【００５４】
また、本実施の形態によれば、表示装置１００の制御部１１１は、二つの経路情報がほぼ同一経路を示すと判定した場合、受信した経路情報を送信した無線端末装置５０から送信される表示情報を受信し、受信した表示情報をスクリーン部１２０に表示させる。
このため、ほぼ同一経路であり該当エリア内と判定された無線端末装置５０から受信した映像をスクリーン部１２０に表示させることができる。
【００５５】
なお、上記実施の形態においては、表示装置１００が１つの構成を例示して説明したが、例えば、ゲートウェイ装置２やゲートウェイ装置３にも表示装置１００を接続したネットワーク構成であっても良い。このように表示装置１００が複数台ある環境においても、別のエリアに設置された表示装置１００に映像を送信してしまうことを防止することができる。
【００５６】
また、ＩＥＥＥ８０２．１１を利用した端末装置以外であっても、イーサーネットケーブルにより接続する端末とＩＥＥＥ８０２．１１以外の無線通信手段（たとえばＮＦＣ（Near Field Communication）などの近距離無線通信手段、Ｂｌｕｅｔｏｏｔｈ（登録商標）、光通信など）を経由した端末でもイーサーネットケーブルによりネットワークに接続した中継器を経由することで映像を送信することができる。
【００５７】
また、上記実施の形態においては、有線端末装置４０を用いて経路情報の登録作業を実行しているが、経路情報の登録作業は、無線端末装置５０を用いて実行することもできる。
【００５８】
また、上記実施の形態においては、接続許可判断処理で、二つの経路情報が一致する場合は、当該二つの経路情報がほぼ同一経路を示すと判定する構成を例示して説明したが、二つの経路情報の所定の一部が一致する場合は、二つの経路情報がほぼ同一経路を示すと判定する構成としても良い。
【００５９】
また、上記実施の形態においては、経路情報の登録処理により、所定の端末装置（有線端末装置４０）から送信された経路情報を記憶部１１３に記憶させているが、記憶させておく経路情報としては、ネットワーク管理者等の任意で所定の経路情報を記憶させることとしても良い。
【００６０】
また、上記実施の形態においては、無線端末装置５０から表示情報が送信される構成を例示して説明したが、表示情報を予め表示装置１００に記憶させておく構成としても良い。
この場合、表示装置１００に記憶させておく表示情報は、経路情報と対応づけられており、接続許可判断処理において二つの経路情報がほぼ同一経路を示すと判定された場合、無線端末装置５０から送信された経路情報に対応する表示情報が読みだされ、表示装置１００に表示される。
【００６１】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
予め登録されたネットワークの経路を示す経路情報を記憶する記憶手段と、
端末装置から送信されたネットワークの経路を示す経路情報を受信する受信手段と、
前記受信手段により受信した経路情報と、前記記憶手段に記憶された経路情報とを比較し、二つの経路情報がほぼ同一経路を示すか否かを判定する判定手段と、
前記判定手段により前記二つの経路情報がほぼ同一経路を示すと判定された場合、表示情報を表示手段に表示させる制御手段と、
を備える表示装置。
＜請求項２＞
前記判定手段は、前記受信手段により受信した経路情報と、前記記憶手段に記憶された経路情報とを比較し、二つの経路情報が一致するかあるいは経路情報が近似する場合は、二つの経路情報がほぼ同一経路を示すと判定する請求項１に記載の表示装置。
＜請求項３＞
前記記憶手段は、所定の端末装置から送信されたネットワークの経路を示す経路情報を前記経路情報として記憶する請求項１又は２に記載の表示装置。
＜請求項４＞
前記制御手段は、前記判定手段により前記二つの経路情報がほぼ同一経路を示すと判定された場合、前記受信手段により受信した前記経路情報を送信した端末装置から送信される表示情報を受信し、受信した表示情報を前記表示手段に表示させる請求項１〜３の何れか一項に記載の表示装置。
＜請求項５＞
ネットワークを介して接続される端末装置と表示装置とを備えた表示システムであって、
前記端末装置は、
前記表示装置にネットワークの経路を示す経路情報を送信可能であって、
前記表示装置は、
予め登録されたネットワークの経路を示す経路情報を記憶する記憶手段と、
前記端末装置から送信されたネットワークの経路を示す経路情報を受信する受信手段と、
前記受信手段により受信した経路情報と、前記記憶手段に記憶された経路情報とを比較し、二つの経路情報がほぼ同一経路を示すか否かを判定する判定手段と、
前記判定手段により前記二つの経路情報がほぼ同一経路を示すと判定された場合、表示情報を表示手段に表示させる制御手段と、
を備える表示システム。
＜請求項６＞
表示装置のコンピュータを、
端末装置から送信されたネットワークの経路を示す経路情報を受信する受信手段、
前記受信手段により受信した経路情報と、予め登録されたネットワークの経路を示す経路情報を記憶する記憶手段に記憶された経路情報とを比較し、二つの経路情報がほぼ同一経路を示すか否かを判定する判定手段、
前記判定手段により前記二つの経路情報がほぼ同一経路を示すと判定された場合、表示情報を表示手段に表示させる制御手段、
として機能させるためのプログラム。
【符号の説明】
【００６２】
１  ゲートウェイ装置
２  ゲートウェイ装置
３  ゲートウェイ装置
１０  アクセスポイント装置
２０  アクセスポイント装置
３０  アクセスポイント装置
４０、４０ａ、４０ｂ  有線端末装置
４１  表示部
４２  操作部
４３  通信部
４４  記憶部
４５  制御部
５０、５０ａ、５０ｂ  無線端末装置（端末装置）
５１  表示部
５２  操作部
５３  通信部
５４  ＧＰＳ部
５５  記憶部
５７  制御部
１００  表示装置
１１０  投影部
１１１  制御部（記憶手段、受信手段、判定手段、制御手段）
１１２  プロジェクタ
１１３  記憶部（記憶手段）
１１３Ａ  経路情報記憶部
１１３Ｂ  設定画面記憶部
１１４  通信部
１１５  操作部
１２０  スクリーン部
１２１  映像表示部
１２２  音声出力部
１０００  表示システム
Ｎ  ネットワーク
【図１】
2015185868.tif 000003
【図２】
2015185868.tif 000004
【図３】
2015185868.tif 000005
【図４】
2015185868.tif 000006